(57)【要約】無線ローカルエリアネットワーク（ＷＬＡＮ）無線周波数識別（ＲＦＩＤ）タグシステムは、無線ローカルエリアネットワーク（ＷＬＡＮ）内の位置検出にＷＬＡＮチャネルを使用する。ＷＬＡＮとの干渉を回避するために、スニファ回路を用いて進行中のネットワーク通信がないことを確認するか、またはＲＦＩＤタグからの送信がＷＬＡＮの標準の受信装置に無視されるように符号化シーケンスまたはプリアンブルを変更するか、またはＷＬＡＮの標準の信号を用いてＷＬＡＮ内のユニットに該当しないアドレス宛てにメッセージを送信する。ＷＬＡＮ内の複数の位置探知ユニット（ＬＵ）と１つのマスタユニット（ＭＵ）とを使用してＲＦＩＤタグからの送信を受信し、このタグから複数の位置探知ユニットが受信した複数の信号間の差に基づく三角測量によってこのタグの位置を求めることができる。マスタユニットは、これらの複数の位置探知ユニットから信号情報を受信し、タグの位置を計算する。到着時間差（ＴＤＯＡ）、受信信号強度表示（ＲＳＳＩ）、または他の三角測量手法を使用しうる。
2006503286.tif 000002
【特許請求の範囲】
【請求項１】
無線ローカルエリアネットワークによって識別タグの位置を判定する方法において、
前記識別タグの識別番号を持つ信号を前記識別タグから前記無線ローカルエリアネットワークのチャネルで送信するステップと、
前記識別タグからの前記信号を前記無線ローカルエリアネットワーク内の複数の位置探知ユニットで受信するステップと、
前記受信に応じて、前記受信信号の特性を前記複数の位置探知ユニットで測定するステップと、
前記測定した特性に対応する情報を前記対応する複数の位置探知ユニットのそれぞれからマスタユニットに送出するステップと、
前記複数の位置探知ユニットについての位置情報と、前記識別タグの位置の判定用として送られてきた前記情報とから、前記マスタユニット内で前記識別タグの位置を判定するステップとを含む方法。
【請求項２】
請求項１に記載の方法において、前記測定ステップは、前記複数の位置探知ユニットのそれぞれで前記受信信号の複数の到着時間を求め、前記送出ステップは、前記複数の到着時間を前記対応する複数の位置探知ユニットのそれぞれからマスタユニットに送出し、前記判定ステップは、前記複数の位置探知ユニットについての位置情報と前記複数の到着時間とから前記位置を判定する方法。
【請求項３】
請求項１に記載の方法において、前記測定ステップは、前記複数の位置探知ユニットのそれぞれで前記受信信号の振幅を求め、前記送出ステップは、前記振幅を前記対応する複数の位置探知ユニットのそれぞれからマスタユニットに送出し、前記判定ステップは、前記複数の位置探知ユニットについての位置情報と前記複数の振幅とから前記位置を判定する方法。
【請求項４】
請求項１に記載の方法において、前記送信ステップは、前記無線ローカルエリアネットワークのどのユニットにも該当しないアドレスを持つ信号を前記チャネルで送信することによって、前記無線エリアネットワーク内の標準の受信装置に前記信号を無視させる方法。
【請求項５】
請求項１に記載の方法において、
前記チャネルの空塞を判定するために、前記チャネルをスニファ回路によってスニフィングするステップと、
前記スニフィングによって前記チャネルが空いていると判定された場合は、前記送信を前記所定の間隔で実施するステップと、
前記スニフィングによって前記チャネルが空いていないと判定された場合は、その後に前記チャネルが空いたときに前記信号を送信するステップと、をさらに含む方法。
【請求項６】
請求項５に記載の方法において、前記スニフィングステップが、前記チャネルで動作中の他のユニットからメッセージを受信するステップを含み、前記送信ステップの実施が前記メッセージにも基づく方法。
【請求項７】
請求項１に記載の方法において、前記送信ステップは、一連の異なる周波数を含む信号を送信することによって、前記複数の異なる周波数で動作中の複数のセル間を移動している前記タグの位置検出を可能にする方法。
【請求項８】
請求項１に記載の方法において、前記送信ステップは、前記無線ローカルエリアネットワークの標準符号シーケンスとは異なる符号シーケンスを有する信号を前記チャネルで送信することによって、前記無線エリアネットワーク内の標準の受信装置に前記信号を拒否させる方法。
【請求項９】
請求項１に記載の方法において、前記送信ステップは、前記無線ローカルエリアネットワークの標準のプリアンブルより長いプリアンブルを有する信号を前記チャネルで送信することによって、前記無線エリアネットワーク内の標準の受信装置に前記信号を拒否させる方法。
【請求項１０】
請求項１に記載の方法において、前記送信ステップは、前記識別タグ内のバッテリのバッテリ状態の表示をさらに持つ信号を送信する方法。
【請求項１１】
請求項１に記載の方法において、前記送信ステップは、前記識別タグ内の送信装置に結合されたセンサからの情報をさらに持つ信号を送信する方法。
【請求項１２】
無線ローカルエリアネットワーク（ＷＬＡＮ）において、
個々の識別タグに対応する識別番号を持つ信号を前記無線ローカルエリアネットワークのチャネルで送信するための複数の識別タグと、
前記識別タグによって送信された前記信号を受信し、前記無線ローカルエリアネットワークのチャネルで受信された前記信号の特性を求めるための複数の位置探知ユニットと、
前記受信された特性に対応する情報を前記複数の位置探知ユニットのそれぞれから受信し、前記受信された特性に基づき前記識別タグの位置を判定するための少なくとも１つのマスタユニットと、を含む無線ローカルエリアネットワーク。
【請求項１３】
請求項１２に記載の無線ローカルエリアネットワークにおいて、前記特性が前記受信信号の到着時間であり、前記マスタユニットが前記複数の到着時間を受信し、前記複数の到着時間に基づき前記位置を判定する無線ローカルエリアネットワーク。
【請求項１４】
請求項１２に記載の無線ローカルエリアネットワークにおいて、前記特性が前記受信信号の振幅であり、前記マスタユニットが前記複数の振幅を受信し、前記複数の振幅に基づき前記位置を判定する無線ローカルエリアネットワーク。
【請求項１５】
請求項１２に記載の無線ローカルエリアネットワークにおいて、前記識別タグのそれぞれが、前記無線ローカルエリアネットワークのどのユニットにも該当しないアドレスを持った信号を前記チャネルで送信することによって、前記無線エリアネットワーク内の標準の受信装置に前記信号を無視させる無線ローカルエリアネットワーク。
【請求項１６】
請求項１２に記載の無線ローカルエリアネットワークにおいて、前記識別タグのそれぞれが前記チャネルの空塞を判定するためのスニファ回路を含み、前記含まれているスニファ回路が前記チャネルが空いていると判定したときにのみ、前記識別タグが前記信号を送信する無線ローカルエリアネットワーク。
【請求項１７】
請求項１６に記載の無線ローカルエリアネットワークにおいて、前記スニファ回路が前記チャネル内で動作中の他のユニットからメッセージを受信し、前記送信の実施が前記メッセージにも基づく無線ローカルエリアネットワーク。
【請求項１８】
請求項１２に記載の無線ローカルエリアネットワークにおいて、前記タグが一連の異なる周波数を含む信号を送信することによって、前記複数の異なる周波数で動作中の複数のセル間を移動している前記タグの位置検出が可能な無線ローカルエリアネットワーク。
【請求項１９】
請求項１２に記載の無線ローカルエリアネットワークにおいて、前記識別タグが前記無線ローカルエリアネットワークの標準の符号シーケンスとは異なる符号シーケンスを有する信号を前記チャネルで送信し、前記複数の位置探知ユニットが前記信号を受信するために、前記長い符号シーケンスの復号化に適した受信装置を含む無線ローカルエリアネットワーク。
【請求項２０】
請求項１２に記載の無線ローカルエリアネットワークにおいて、前記識別タグが前記無線ローカルエリアネットワークの標準のプリアンブルより長いプリアンブルを有する信号を前記チャネルで送信し、前記複数の位置探知ユニットが前記信号を受信するために、前記長いプリアンブルの復号化に適した受信装置を含む無線ローカルエリアネットワーク。
【請求項２１】
請求項１２に記載の無線ローカルエリアネットワークにおいて、前記マスタユニットが前記複数の位置探知ユニットのうちの１つである無線ローカルエリアネットワーク。
【請求項２２】
無線ローカルエリアネットワーク（ＷＬＡＮ）内で使用される無線識別タグにおいて、
前記識別タグの識別番号を少なくとも記憶するための記憶装置と、
前記識別タグの識別番号を持つ信号を前記識別タグから前記無線ローカルエリアネットワークのチャネルで送信するために前記記憶装置に結合された送信装置と、を含む無線識別タグ。
【請求項２３】
請求項２２に記載の無線識別タグにおいて、前記送信装置が、前記無線ローカルエリアネットワークのどのユニットにも該当しないアドレスを持つ信号を前記チャネルで送信することによって、前記無線エリアネットワーク内の標準の受信装置に前記信号を無視させる無線識別タグ。
【請求項２４】
請求項２２に記載の無線識別タグにおいて、前記チャネルの空塞を判定するためのスニファ回路を含み、前記チャネルが空いていると前記スニファ回路が判定した場合に、前記無線識別タグが前記信号を送信する無線識別タグ。
【請求項２５】
請求項２２に記載の無線識別タグにおいて、前記チャネルが空いていない場合は、その後に前記チャネルが空く期間まで、前記送信装置が前記信号の送信を遅延させる無線識別タグ。
【請求項２６】
請求項２２に記載の無線識別タグにおいて、前記送信装置が前記無線ローカルエリアネットワークの標準の符号シーケンスより長い符号シーケンスを有する信号を前記チャネルで送信することによって、前記無線エリアネットワーク内の標準の受信装置に前記信号を拒否させる無線識別タグ。
【請求項２７】
請求項２２に記載の無線識別タグにおいて、前記送信装置が前記無線ローカルエリアネットワークの標準のプリアンブルより長いプリアンブルを有する信号を前記チャネルで送信することによって、前記無線エリアネットワーク内の標準の受信装置に前記信号を拒否させる無線識別タグ。
【請求項２８】
請求項２２に記載の無線識別タグにおいて、
電力を前記識別タグの内部回路に供給するためのバッテリと、
前記バッテリの状態を監視するためのバッテリ状態モニタは、前記バッテリ状態モニタが前記送信装置に結合され、前記状態の表示が前記送信装置によって前記信号に含めて送信されるバッテリ状態モニタと、を含む無線識別タグ。
【請求項２９】
請求項２２に記載の無線識別タグにおいて、前記送信装置が外部装置からデータを受信するための入力部を含み、前記送信装置が前記識別タグ内の送信装置に結合された前記外部装置からの情報を持つ信号を送信する無線識別タグ。
【請求項３０】
請求項２９に記載の無線識別タグにおいて、前記外部装置がセンサである無線識別タグ。
【発明の詳細な説明】
【技術分野】
【０００１】
本発明は、全般的に無線ネットワークに関し、より具体的には、タグが付けられた品目の物理的位置を判定するための無線周波数識別タグおよびシステムに関する。
【背景技術】
【０００２】
本出願は、同一譲受人に譲渡され、先に提出された特許文献１、特許文献２、および特許文献３に関連する。これらの米国特許出願の明細書の内容を本願明細書に引用したものとする。
【０００３】
【特許文献１】米国特許出願公開第１０／１５６，２４４号「距離測定手法を用いて無線ネットワーク内のセキュリティを強化する方法および装置」（２００２年５月２４日出願）
【特許文献２】米国特許出願公開第１０／１７１，４２７号「物理的位置の判定を用いた無線ネットワーク内の侵入管理の方法および装置」（２００２年６月１３日出願）
【特許文献３】米国特許出願公開第１０／２２５，２６７号「無線ローカルエリアネットワークにおける位置検出の方法およびシステム」（２００２年８月２０日出願）
【０００４】
無線周波数識別（ＲＦＩＤ）タグは、店舗の在庫品や法人資産などの品目の位置探知のほか、ＲＦＩＤバッジによる社員の位置探知に普及しつつある。一般に、位置探知ステーションは、ＲＦＩＤタグからのタグ信号を受信するための専用無線システムの一部である。複数の位置探知ステーションから受信情報が収集され、中央のマスタステーションでＲＦＩＤタグの位置が判定される。
【０００５】
無線ローカルエリアネットワーク（ＷＬＡＮ）も普及している。電気電子学会（ＩＥＥＥ）仕様８０２．１１（ＷＬＡＮ）（８０２．１１ａ、８０２．ｌｌｂなどを含む）、８０２．１５．１（ＷＰＡＮ）、および８０２．１５．４（ＷＰＡＮ−ＬＲ）に準拠したＷＬＡＮは、コンピュータ機器および個人用通信機器のほか、これ以外のホームオートメーション機器などの機器間の無線接続を可能にする。ＲＦＩＤタグシステムとＷＬＡＮシステムとを組合せたものも利用できるが、現在市販されているＲＦＩＤタグは、無線ローカルネットワークとは別の周波数帯域および／または信号方式を使用する。別の帯域および／または信号方式を使用する場合は、タグから所定の間隔で断続的に送信されてくる信号を受信するために、かなりの量のハードウェアを位置探知ステーションに追加する必要がある。このハードウェアの追加によって、位置探知ステーションがより複雑になり、コストが増加する。
【０００６】
特許文献３に記載されているように、ＷＬＡＮチャネル上の信号方式を使用したＷＬＡＮ内の位置検出がＷＬＡＮユニット向けに開発されている。ただし、ネットワーク受信装置、ＭＡＣ（媒体アクセス制御）の完全サポート、およびインタフェースを備えた完全なＷＬＡＮユニットの複雑さは、低価格のＲＦＩＤタグが望まれる用途には見合わない。たとえば、社員バッジおよび在庫品タグには、受信装置、送信装置、およびネットワークのサポートをすべて備えた完全なＷＬＡＮユニットは必要なく、通常コスト的にも見合わない。
【発明の開示】
【発明が解決しようとする課題】
【０００７】
したがって、無線ネットワーク内でのＲＦＩＤタグの位置検出を実現するために、タグ付き品目の物理的位置を無線ネットワークによって判定でき、位置探知ステーションまたはタグに大量のハードウェアの追加または特殊なハードウェアを必要としない改良された方法およびシステムが望ましいであろう。また、別の周波数帯域を使用せずに、このような改良された方法およびシステムを提供することが望ましいであろう。さらに、複数の位置探知ユニットを含み、タグと標準ユニットの両方の位置探知を同じ複数の位置探知ユニットによって行える無線ネットワークを提供することが望ましいであろう。
【課題を解決するための手段】
【０００８】
位置探知ステーションのために大量のハードウェアの追加および／または周波数帯域の追加を必要としない、改良されたＲＦＩＤタグシステムの提供という上記目的は、１つの方法およびシステムとして実現される。この方法は、ＲＦＩＤタグの物理的位置を判定するシステムにおいて具体化される。このＲＦＩＤタグは、スニファ回路付きの送信専用ＲＦモジュールを備え、このスニファ回路によって、ＷＬＡＮ信号の受信および復号化を行わずに、トラフィックの存在を検出することができる。あるいは、ＷＬＡＮ信号の受信と復号化とを行えるスニファ回路を備えることもできる。好適な一実施態様においては、ＲＦＩＤタグは、ＷＬＡＮ内のユニットのアドレスに該当しない架空のアドレスを持つＷＬＡＮ帯域内の信号を送信する。この信号は所定の間隔で定期的に送信されるが、ＷＬＡＮの動作を混乱させないために、進行中の通信が他にないことをスニファ回路が判定してから送信を開始するか、またはＷＬＡＮの標準の信号とは異なる独自のＰＮ符号シーケンスまたはプリアンブルを使用する。架空のアドレスおよび独自のＰＮ符号シーケンスまたはプリアンブルを受信するように、上記送信を受信する位置探知ユニットとマスタステーションとを変更して特化させてもよい。
【０００９】
本発明の前記および他の目的、特長、および利点は、添付図面に示されているような本発明の好適な実施態様についての以下のより具体的な説明から明らかになるであろう。
【発明を実施するための最良の形態】
【００１０】
添付図面中、特に図１において、本発明の一実施形態による無線周波数識別（ＲＦＩＤ）タグ２が示されている。タグ２は、印刷回路基板４を含み、基板４上の複数の導体パターンによって相互接続された複数の電子部品８によって複数のタグ回路が形成されている。一般に、これらの回路は、無線ローカルエリアネットワーク（ＷＬＡＮ）に結合された複数の位置探知ユニットによって受信される信号をＷＬＡＮチャネルで送信するための送信装置を備える。バッテリ５は、電力を電子回路に供給する。送信装置にはアンテナ６が結合され、複数の位置探知ユニットによって受信されるＷＬＡＮチャネル送信信号がこのアンテナ６から発信される。基板４および電子部品８は、筐体３によって覆われており、この筐体には、識別バッジを形成する表面装飾や、タグをペンダントとして使用するためにコードまたはキーリングに取り付けるための筐体貫通穴などを設けてもよい。温度や赤外線信号などの特性を測定するためのセンサ９を筐体内に備えてもよく、さらに／または外部センサをタグ回路に結合するためのコネクタ７を筐体３の外側に設けてもよい。
【００１１】
次に図２において、本発明の一実施形態によるＷＬＡＮが示されている。ＲＦＩＤタグ２は、信号処理装置１４によって生成された信号をアンテナ６経由でＷＬＡＮのチャネルで送信する送信装置１２を含む。送信信号は、所定の間隔で定期的に送信され、ＷＬＡＮ内のユニットに該当しないアドレスを含む。送信信号は、タグ２に対応付けられている識別番号を少なくとも含み、この識別番号は記憶装置１８から取り出される。この記憶装置１８には、信号処理装置１４の命令およびデータをさらに記憶させてもよい。タグ２は信号を一続きの複数の周波数で順番に送信するので、それぞれ異なる周波数で動作中の複数の隣接セルをタグ２が通過しているときでもタグ２の位置を探知しうる。
【００１２】
外部センサコネクタ７または内部センサ９からの信号を受信するためにセンサ回路１３を信号処理装置１４に結合してもよく、またバッテリ状態監視回路１７を信号処理装置１４にさらに結合してもよい。バッテリ状態回路１７およびセンサ回路１３から情報が信号処理装置１４に提供されるが、この情報をタグＩＤと一緒に複数の位置探知ユニットに送信してもよい。
【００１３】
ＷＬＡＮチャネルの空塞を判定するために、スニファ回路１６が含まれている。ＷＬＡＮチャネルが空いている場合は、送信信号が所定の間隔で送信されるが、ＷＬＡＮチャネルが塞がっている場合は、そのＷＬＡＮに採用されている特定のＷＬＡＮ仕様で指定されているバックオフアルゴリズムが実行され、その後にチャネルが空いたときに信号が送信される。
【００１４】
あるいは、スニファ回路１６を省いてもよい。この場合は、送信信号をＷＬＡＮの標準の信号から差別化するために、非標準の符号シーケンスまたは非標準のプリアンブルを用いる。この送信信号を位置探知ユニットのみに受信させ、この信号によってネットワークの標準ユニット内の受信装置の相関器を混乱させないために、ＩＥＥＥ８０２．１１ネットワークに採用されている１１チップのバーカー符号より長い符号シーケンスを使用してもよい。プリアンブルを長くすると、送信信号が受信装置のフレーム復号器によって無視されるので、この手法でもネットワークの混乱を回避することができる。スニファ回路１６と非標準信号との併用など、上記手法のいずれかの組合せを採用してもよい。スニファ回路１６は、信号振幅検出器（ピーク検出器）でもよいが、あるいは相関器と、シンボルマッチドフィルタと、メッセージ復号器とを含んでもよい。好適な一実施形態においては、スニファ回路１６はネットワークインタフェース、ＭＡＣパケットフォーマッタ、またはメッセージ復号器を含まず、ＷＬＡＮチャネルが使用中かどうかの判定に必要な機能のみを含む。任意使用のスニファ回路１６を使用すると、複数のタグ通信間の衝突が回避されるので、タグからの送信をエラーなしで受信する機会が向上する。必要な送信回数を減らすことによって、バッテリ寿命が向上する。
【００１５】
本発明では、ＲＦＩＤタグ２の位置を求めるために少なくとも３つの位置探知ユニット２０を使用し、タグ２の物理的位置を計算するために１つのマスタユニット３０を必要とする。マスタユニット３０に受信装置回路を含め、複数の位置探知ユニット２０のうちの１つとして機能させてもよい。本発明の実施形態による位置探知ユニット２０は、ＲＦＩＤタグ２からの信号を含むＷＬＡＮ信号を受信するためのアンテナ２３を含み、このアンテナ２３はＷＬＡＮ送受信装置２２に結合されている。受信信号を復号化してメッセージを抽出するために、ＷＬＡＮ送受信装置２２は信号処理装置２４に結合されている。タグ２が非標準のプリアンブルまたは符号シーケンスを送信する場合は、タグ２からのＷＬＡＮ非標準の送信を受信するために適切な復号器とフレーム受信器とを信号処理装置２４内に組み込む。さらに信号処理装置２４はタグから受信した信号の到着時間を求め、これをネットワークインタフェース２６を介してマスタユニット３０に送信し、これによってタグ２の位置が計算される。ネットワークインタフェース２６は有線インタフェースでもよいが、無線インタフェースでもよく、この場合はマスタユニット３０への接続は、ＷＬＡＮ送受信装置２２の送信装置部分とアンテナ２３とを逆に経由して行う。
【００１６】
マスタユニット３０は、到着時間情報を複数の位置探知ユニット２０から受信するネットワークインタフェース３６に結合されたプロセッサ３８を含み、複数の位置探知ユニット２０における到着時間の差に基づいてタグ２の位置を計算する。上記のように、アンテナ３３と、ＷＬＡＮ送受信装置３２と、タグ２の信号に対応した信号処理装置３４とをマスタユニット３０に備えることによって、マスタユニット３０を複数の位置探知ユニット２０のうちの１つとして機能させてもよい。マスタユニット３０を位置探知ユニットとしても使用すると、これ以外に２つの位置探知ユニット２０があれば、タグ２の位置を判定することができる。タグ２の位置をより正確に判定するために、３つまたはそれ以上の受信ユニットを使用してもよい。
【００１７】
本発明は、ＷＬＡＮ（たとえばＩＥＥＥ８０２．１１）またはＷＰＡＮネットワークなどの無線ネットワークの存在下で、タグ２から受信した信号の到着時間差（ＴＤＯＡ）の計算によってタグ２の位置検出を可能にする。ＴＤＯＡを用いてタグ位置が判定されたら、そのタグ位置をネットワーク施設地図上で特定し、そのタグ位置に応じて資産または個人のセキュリティを管理することができる。既存の無線ネットワークにおいては、タグのＴＤＯＡ測定を行えるように機器（通常、アクセスポイント、すなわち「ＡＰ」）の機能を強化すれば、別個のインフラストラクチャを追加しなくとも位置判定が可能になり、増分コストを抑えながらネットワークのセキュリティを強化しうる。上で引用した特許文献３の記載に基づく位置探知ユニットおよびマスタユニット（タグ２が送信するプリアンブルまたは符号シーケンスが標準外の場合は、然るべき変更をしたもの）は、タグ２の位置検出ばかりでなく、モバイルまたは据置き型ＷＬＡＮユニットの位置検出にも使用しうる。
【００１８】
ＴＤＯＡ手法では、複数の受信装置に到着する信号間のタイミングに基づく三角測量によって送信源の位置を判定できる。次に図３において、無線ネットワークの概観図が示されている。複数の位置探知ユニット（ＬＵ）２０Ａ、２０Ｂ、および２０Ｃは、タグ２Ａ〜２Ｃからの信号の到着時間を測定するためのＴＯＡ（Ｔｉｍｅ−Ｏｆ−Ａｒｒｉｖａｌ）電子装置とソフトウェアとを含む。位置探知ユニット２０Ａによって受信された信号４４（タグ２Ｃから送信）と位置探知ユニット２０Ｂおよび２０Ｃによって受信された信号４４との時間差から、タグ２Ｃの物理的位置の三角測量が可能である。複数の位置探知ユニット２０Ａ、２０Ｂ、および２０Ｃによって受信された信号４４の到着時間情報がネットワーク接続４２（上記のようにＷＬＡＮチャネルでもよい）経由で送られてくると、マスタユニット３０は、複数の位置探知ユニット２０Ａ、２０Ｂ、および２０Ｃのそれぞれの位置と信号４４の到着時間とがわかるので、タグ２Ｃの物理的位置を算出する。
【００１９】
本発明の好適な実施形態に言及しながら本発明を具体的に図示および説明してきたが、本発明の精神および範囲から逸脱せずに上記および他の形態変更および詳細変更が可能であることは当業者には明らかであろう。
【図面の簡単な説明】
【００２０】
【図１】本発明の一実施形態によるＲＦＩＤタグを示す概略図である。
【図２】本発明の一実施形態による無線ネットワークを示すブロック図である。
【図３】本発明の一実施形態による無線ネットワークの概略図である。
【図１】
2006503286.tif 000003
【図２】
2006503286.tif 000004
【図３】
2006503286.tif 000005
【国際調査報告】
2006503286.tif 000006
2006503286.tif 000007
2006503286.tif 000008